(57)【要約】      （修正有）【課題】展示板上の照明器具は、展示棚の各照明器具を単体で自由にオン／オフすることはできず、電力資源の浪費が発生していたので、これを抑止する。【解決手段】ジョイントが溝内に取り付けられ、銅芯がジョイント内に取り付けられるとともに、銅芯は外部電源に接続され、グリッドの長さ方向には複数の長方形の掛合孔が配置されている。ホルダの左右両端には掛合アーム２１が設けられ、掛合アームの先端には掛合フック２６が設けられ、掛合フックは電気接続展示柱１における長方形の掛合孔内に掛合される。掛合アームの中央部には案内溝２３が設けられ、案内溝の下方には位置決め栓２８が設けられる。可動プラグ内２２に導電性の銅芯が嵌合され、導電性の銅芯は案内溝内に載置され、位置決め栓は長孔２７内に固定される。左側可動プラグは照明器具の正極に接続され、右側可動プラグは照明器具の負極に接続される。展示板はねじによってホルダに固定される。【選択図】図７
2015047492.tif 000002
【特許請求の範囲】
【請求項１】
展示業界用の発光システム通電装置であって、
電気接続展示柱（１）、ホルダ（２）、展示板（３）、照明器具（４）、ジョイント（１１）および銅芯（１２）を含み、
前記電気接続展示柱（１）は溝（１４）とグリッド（１５）を含み、
ジョイント（１１）が溝（１４）内に取り付けられ、銅芯（１２）がジョイント（１１）内に取り付けられ、銅芯（１２）は外部電源に接続され、
グリッド（１５）の長さ方向には複数の長方形の掛合孔（１３）が配置され、
前記ホルダ（２）の左右両端には掛合アーム（２１）が設けられ、掛合アーム（２１）の先端には掛合フック（２６）が設けられ、掛合フック（２６）は電気接続展示柱（１）の掛合孔（１３）内に掛合され、
掛合アーム（２１）の中央部には案内溝（２３）が設けられ、案内溝（２３）の下方には位置決め栓（２８）が設けられ、
可動プラグ（２２）は掛合アーム（２１）に取り付けられ、前記可動プラグ（２２）内に導電性の銅芯（２４）が嵌合され、導電性の銅芯（２４）は掛合アーム（２１）の案内溝（２３）内に載置され、可動プラグ（２２）における掛合アーム（２１）上の位置決め栓（２８）に対応する位置には長孔（２７）が設けられ、位置決め栓（２８）は長孔（２７）内に固定され、
左側可動プラグ（２２）は照明器具（４）の正極に接続され、右側可動プラグ（２２）は照明器具（４）の負極に接続され、
前記展示板（３）はねじによってホルダ（２）に固定されることを特徴とする展示業界用の発光システム通電装置。
【請求項２】
前記電気接続展示柱（１）は円柱であり、２組のダブルグリッド（１５）−ダブル溝（１４）は背中合わせとなるよう対称に円柱の両側に配置され、
前記ホルダ（２）の一端はダブル掛合アーム（２１ａ）を具備し、絶縁プラスチック材料製のダブル可動プラグ（２２ｃ）はダブル掛合アーム（２１ａ）内に固定され、
前記ホルダ（２）の他端はダブル掛合アーム（２１ａ）のみを具備することを特徴とする請求項１に記載の展示業界用の発光システム通電装置。
【請求項３】
前記電気接続展示柱（１）は四角柱であり、２組のダブルグリッド（１５）−ダブル溝（１４）は背中合わせとなるよう対称に四角柱の両側に配置され、
前記ホルダ（２）の一端はダブル掛合アーム（２１ａ）を具備し、絶縁プラスチック材料製のダブル可動プラグ（２２ｃ）はダブル掛合アーム（２１ａ）内に固定され、
前記ホルダ（２）の他端はダブル掛合アーム（２１ａ）のみを具備することを特徴とする請求項１に記載の展示業界用の発光システム通電装置。
【請求項４】
固定板（５２）は壁に固定され、電気接続展示柱（１）は固定板（５２）に取り付けられ、電気接続展示柱（１）は逆山型の長尺状であり、
電気接続展示柱（１）には係合位置（５４）が設けられ、展示パネル（５１）には係合部（５３）が配備されており、展示パネル（５１）は係合部（５３）を介して電気接続展示柱（１）の係合位置（５４）に係合されることを特徴とする請求項１に記載の展示業界用の発光システム通電装置。
【請求項５】
電気接続展示柱（１）はダブルグリッド（１５）−ダブル溝（１４）を使用し、これに応じて、掛合アーム（２１）と可動プラグ（２２）としてダブル掛合アーム（２１ａ）とダブル可動プラグ（２２ｃ）を用いることを特徴とする請求項４に記載の展示業界用の発光システム通電装置。
【請求項６】
電気接続展示柱（１）はダブルグリッド（１５）−ダブル溝（１４）を使用し、これに応じて、掛合アーム（２１）と可動プラグ（２２）として、掛合アーム（２１）に左側シングル可動プラグ（２２ａ）を配したものと、掛合アーム（２１）に右側シングル可動プラグ（２２ｂ）を配したものを使用することを特徴とする請求項４に記載の展示業界用の発光システム通電装置。
【発明の詳細な説明】
【技術分野】
【０００１】
本発明は展示棚に関し、特に展示業界用の発光システム通電装置に関する。
【背景技術】
【０００２】
本願の出願人が初期に開発した展示棚では、各展示板上の照明器具は独立したスイッチ機能を具備しておらず、ユーザは展示棚の一括電源スイッチを制御することにより、展示板における照明器具を一括でオン・オフすることのみが可能であって、展示棚の各照明器具を単体で自由にオン／オフすることはできなかった。これにより、電力資源の浪費が招来されていた。
【発明の概要】
【課題を解決するための手段】
【０００３】
展示棚において照明器具を単体で自由にオン／オフできないことから資源の浪費が招来される、との背景技術における課題を解決するために、本発明は展示業界用の発光システム通電装置を提供する。
【０００４】
上記目的を達成するために、本発明は次の技術方案を用いた。すなわち、展示業界用の発光システム通電装置であって、電気接続展示柱、ホルダ、展示板、照明器具、ジョイントおよび銅芯を含むことを特徴とする。
【０００５】
前記電気接続展示柱は溝とグリッドを含む。ジョイントは溝内に取り付けられて主に絶縁作用を奏し、銅芯はジョイント内に取り付けられ、また、銅芯は外部電源に接続され、左側の銅芯は外部電源の正極に接続され、右側の銅芯は外部電源の負極に接続される。グリッドの長さ方向には複数の長方形の掛合孔が配置され、電気接続展示柱におけるグリッドと溝は、シングルグリッド−シングル溝、およびダブルグリッド−ダブル溝の２形態に分けられる。電気接続展示柱は、逆山型の長尺状、円柱および四角柱の３形態に分けられる。逆山型の長尺状の電気接続展示柱には係合位置が設けられ、円柱の電気接続展示柱においては２組のダブルグリッド−ダブル溝が背中合わせとなるよう対称に円柱の両側に配置され、両側ともに十分に利用可能とされる。四角柱においては２組のダブルグリッド−ダブル溝が背中合わせとなるよう対称に四角柱の両側に配置され、両側ともに十分に利用可能とされる。
【０００６】
前記ホルダの左右両端には掛合アームが設けられ、絶縁プラスチック材料製の可動プラグが掛合アーム内に固定され、制御線と照明器具がホルダ内部に取り付けられ、照明器具が透光性のカバーで覆われている。前記掛合アームの先端には掛合フックが設けられ、掛合フックは電気接続展示柱における長方形の掛合孔内に掛合される。掛合アームの中央部には案内溝が設けられ、案内溝の下方には位置決め栓が設けられ、可動プラグは掛合アームに取り付けられ、前記可動プラグ内に導電性の銅芯が嵌合され、導電性の銅芯は掛合アームの案内溝内に載置され、導電性の銅芯は案内溝内で前後に移動可能であり、可動プラグにおける掛合アーム上の位置決め栓と対応する位置には長孔が設けられ、位置決め栓は長孔内に固定されて、可動プラグと掛合アームを接続する。可動プラグは長孔により限定される範囲において前後に移動可能であり、長孔の長さは可動プラグにおける導電性の銅芯と電気接続展示柱における銅芯とが完全に接触および完全に離間可能なとなるように決定される。左側可動プラグ内の導電性の銅芯は、導線を介して照明器具の正極に接続され、右側可動プラグ内の導電性の銅芯は導線を介して照明器具の負極に接続される。
【０００７】
前記展示板はねじによってホルダに固定される。
【０００８】
上記の技術方案を用いれば、電気接続展示柱とホルダを掛合アームを介して掛合すると、電気接続展示柱内には導電性の銅芯が設けられ、導電性の銅芯は外部電源に接続され、ホルダの掛合アーム内には絶縁プラスチック材料製の可動プラグが固定され、可動プラグ内に導電性の銅芯が嵌合され、左側可動プラグ内の導電性の銅芯は、導線を介して照明器具の正極に接続され、右側可動プラグ内の導電性の銅芯は導線を介して照明器具の負極に接続される。展示棚における各照明器具を単体でオン／オフしたい場合、可動プラグを前後に移動させるよう押動し、可動プラグにおける導電性の銅芯と電気接続展示柱内における銅芯とを完全に接触および完全に離間させるだけで、展示棚の各照明器具を単体でオン／オフすることが可能となるため、展示棚における各照明器具の独立スイッチにかかる課題が解決され、エネルギーおよび資源の浪費が回避されることで、さらなる環境保護と省エネルギーが実現される。
【図面の簡単な説明】
【０００９】
【図１】図１は、電気接続展示柱を単独で使用する場合を示す図である。
【図２】図２は、四角柱の電気接続展示柱と可動プラグを挿入接続した場合を示す断面図である。
【図３】図３は、円柱の電気接続展示柱と可動プラグを挿入接続した場合を示す断面図である。
【図４】図４は、電気接続展示柱を単独で使用する場合のホルダの分解立体図である。
【図５】図５は、電気接続展示柱を壁体に固定する場合を示す分解図である。
【図６】図６は、逆山型の電気接続展示柱とシングル可動プラグを示す断面図である。
【図７】図７は、ホルダと電気接続展示柱を掛合した場合を示す断面図である。
【図８】図８は、ダブル可動プラグを示す図である。
【発明を実施するための形態】
【００１０】
以下に、図１〜８を組み合わせて、本発明の具体的な実施形態についてさらに詳述する。実施形態１では、電気接続展示柱１を単独で使用しない場合、まず固定板５２を壁に固定し、電気接続展示柱１を固定板５２に取り付ける。電気接続展示柱１の形状は逆山型の長尺状であり、電気接続展示柱は溝１４とグリッド１５を含む。ジョイント１１が溝１４内に取り付けられ、銅芯１２がジョイント１１内に取り付けられるとともに、銅芯１２は外部電源に接続される。グリッド１５の長さ方向には複数の長方形の掛合孔１３が配置され、電気接続展示柱１としては、シングルグリッド１５−シングル溝１４と、ダブルグリッド１５−ダブル溝１４の２種類ある。電気接続展示柱１には係合位置５４が設けられ、展示パネル５１に係合部５３が配備されており、展示パネル５１は係合部５３を介して電気接続展示柱１の係合位置５４に係合され、固定される。
【００１１】
前記ホルダ２の左右両端には掛合アーム２１が設けられ、絶縁プラスチック材料製の可動プラグ２２が掛合アーム２１内に固定され、制御線と照明器具４がホルダ２の内部に取り付けられ、照明器具４が透光性のカバーで覆われている。前記掛合アーム２１の先端には掛合フック２６が設けられ、掛合フック２６は電気接続展示柱１における長方形の掛合孔１３内に掛合される。掛合アーム２１の中央部には案内溝２３が設けられ、案内溝２３の下方には位置決め栓２８が設けられ、可動プラグ２２は掛合アーム２１に取り付けられ、前記可動プラグ２２内に導電性の銅芯２４が嵌合され、導電性の銅芯２４は掛合アーム２１の案内溝２３内に載置され、導電性の銅芯２４は案内溝２３内で前後に移動可能であり、可動プラグ２２における掛合アーム２１上の位置決め栓２８と対応する位置には長孔２７が設けられ、位置決め栓２８は長孔２７内に固定されて、可動プラグ２２と掛合アーム２１を接続する。可動プラグ２１は長孔２７により限定される範囲において前後に移動可能であり、長孔２７の長さは可動プラグが実際に必要とする移動距離から決定される。左側可動プラグ２２ａ内の導電性の銅芯２４は導線を介して照明器具４の正極に接続され、右側可動プラグ２２ｂ内の導電性の銅芯２４は導線を介して照明器具４の負極に接続される。電気接続展示柱がダブルグリッド１５−ダブル溝１４を使用する場合には、これに応じて、掛合アーム２１と可動プラグ２２としてダブル掛合アーム２１ａとダブル可動プラグ２２ｃを用い、ダブル掛合アーム２１ａを２つの全く同一の掛合アーム２１から構成するか、あるいは、掛合アーム２１と可動プラグ２２として、掛合アーム２１に左側シングル可動プラグ２２ａを配したものと、掛合アーム２１に右側シングル可動プラグ２２ｂを配したものを使用する。ホルダ２を掛合アーム２１を介して電気接続展示柱１における長方形の掛合孔１３内に掛合した後、可動プラグ２２の前後の移動によって、導電性の銅芯２４を電気接続展示柱１の銅芯１２との接触に対し挿入または抽出することで、照明器具４がオン／オフされる。
【００１２】
前記展示板３はねじによってホルダ２に固定される。
【００１３】
実施形態２は、電気接続展示柱１の形状が円柱の場合であって、電気接続展示柱が溝とグリッドを含む。ジョイントが溝内に取り付けられ、銅芯１２がジョイント１１内に取り付けられ、銅芯１２は外部電源に接続される。グリッド１５の長さ方向には複数の長方形の掛合孔１３が配置され、２組のダブルグリッド１５−ダブル溝１４が背中合わせとなるよう対称に円柱の両側に配置される。
【００１４】
ホルダ２の一端はダブル掛合アーム２１ａを具備し、ダブル掛合アーム２１ａは２つの全く同一の掛合アーム２１から構成される。絶縁プラスチック材料製のダブル可動プラグ２２ｃがダブル掛合アーム２１ａ内に固定される。ホルダ２の他端はダブル掛合アーム２１ａのみを具備する。照明器具４はホルダ２のブラケット２５に取り付けられ、制御線はホルダ２内に隠匿される。前記ダブル掛合アーム２１ａの先端には掛合フック２６が設けられ、掛合フック２６は電気接続展示柱１における掛合孔１３内に掛合される。中央部には案内溝２３が設けられ、案内溝２３の下方には位置決め栓が設けられ、ダブル可動プラグ２２ｃはダブル掛合アーム２１ａに取り付けられ、前記ダブル可動プラグ２２ｃ内に導電性の銅芯２４が嵌合され、導電性の銅芯２４はダブル掛合アーム２１ａの案内溝２３内に載置され、導電性の銅芯２４は案内溝２３内で前後に移動可能であり、ダブル可動プラグ２２ｃにおけるダブル掛合アーム２１ａ上の位置決め栓２８と対応する位置には長孔２７が設けられ、位置決め栓２８は位置決め孔を挿通して長孔２７内に固定され、ダブル可動プラグ２２ｃとダブル掛合アーム２１ａを接続する。ダブル可動プラグ２２ｃは長孔２７により限定される範囲において前後に移動可能であり、長孔２７の長さはダブル可動プラグ２２ｃが実際に必要とする移動距離から決定される。ダブル可動プラグ２２ｃの左側プラグ内における導電性の銅芯２４は導線を介して照明器具４の正極に接続され、ダブル可動プラグ２２ｃの右側プラグ内における導電性の銅芯２４は導線を介して照明器具４の負極に接続される。ホルダ２を掛合アーム２１を介して電気接続展示柱１における長方形の掛合孔１３内に掛合した後、可動プラグ２２の前後の移動によって、導電性の銅芯２４を電気接続展示柱１の銅芯１２との接触に対し挿入または抽出することで、照明器具４がオン／オフされる。
【００１５】
前記展示板３はねじによってホルダ２に固定される。
【００１６】
実施形態３は、電気接続展示柱１の形状が四角柱である場合であって、電気接続展示柱が溝とグリッドを含む。ジョイントが溝内に取り付けられ、銅芯１２がジョイント１１内に取り付けられ、銅芯１２は外部電源に接続される。グリッド１５の長さ方向には複数の長方形の掛合孔１３が配置され、２組のダブルグリッド１５−ダブル溝１４が背中合わせとなるよう対称に四角柱の両側に配置される。
【００１７】
前記ホルダ２の一端はダブル掛合アーム２１ａを具備し、ダブル掛合アーム２１ａは２つの全く同一の掛合アーム２１から構成される。絶縁プラスチック材料製のダブル可動プラグ２２ｃはダブル掛合アーム２１ａ内に固定される。ホルダ２の他端はダブル掛合アーム２１ａのみを具備する。照明器具４はホルダ２のブラケット２５に取り付けられ、制御線はホルダ２内に隠匿される。前記ダブル掛合アーム２１ａの先端には掛合フック２６が設けられ、掛合フック２６は電気接続展示柱１における掛合孔１３内に掛合される。中央部には案内溝２３が設けられ、案内溝２３の下方には位置決め栓が設けられ、ダブル可動プラグ２２ｃはダブル掛合アーム２１ａに取り付けられ、前記ダブル可動プラグ２２ｃ内に導電性の銅芯２４が嵌合され、導電性の銅芯２４はダブル掛合アーム２１ａの案内溝２３内に載置され、導電性の銅芯２４は案内溝２３内で前後に移動可能であり、ダブル可動プラグ２２ｃにおけるダブル掛合アーム２１ａ上の位置決め栓２８と対応する位置には長孔２７が設けられ、位置決め栓２８は位置決め孔を挿通して長孔２７内に固定され、ダブル可動プラグ２２ｃとダブル掛合アーム２１ａを接続する。ダブル可動プラグ２２ｃは長孔２７により限定される範囲において前後に移動可能であり、長孔２７の長さはダブル可動プラグ２２ｃが実際に必要とする移動距離から決定される。ダブル可動プラグ２２ｃの左側プラグ内における導電性の銅芯２４は導線を介して照明器具４の正極に接続され、ダブル可動プラグ２２ｃの右側プラグ内における導電性の銅芯２４は導線を介して照明器具４の負極に接続される。ホルダ２を掛合アーム２１を介して電気接続展示柱１における長方形の掛合孔１３内に掛合した後、可動プラグ２２の前後の移動によって、導電性の銅芯２４を電気接続展示柱１の銅芯１２との接触に対して挿入または抽出することで、照明器具４がオン／オフされる。
【００１８】
前記展示板３はねじによってホルダ２に固定される。
【００１９】
実施形態で取り上げた３つの好ましい実施形態は本技術方案を具体的に述べるための形態にすぎず、本発明の技術方案を限定するものではない。本発明の技術方案に基づき、創造的労働を必要とせずに得られる方案は、いずれも本発明の保護の範囲内に包括される。
【符号の説明】
【００２０】
１    電気接続展示柱
２    ホルダ
３    展示板
４    照明器具
１１    ジョイント
１２    銅芯
１３    長方形の掛合孔
１４    溝
１５    グリッド
２１    掛合アーム
２１ａ    ダブル掛合アーム
２２    可動プラグ
２２ａ    左側シングル可動プラグ
２２ｂ    右側シングル可動プラグ
２２ｃ    ダブル可動プラグ
２３    案内溝
２４    導電性の銅芯
２５    ブラケット
２６    掛合フック
２７    長孔
２８    位置決め栓
５１    展示パネル
５２    固定板
５３    係合部
５４    係合位置
【図１】
2015047492.tif 000003
【図２】
2015047492.tif 000004
【図３】
2015047492.tif 000005
【図４】
2015047492.tif 000006
【図５】
2015047492.tif 000007
【図６】
2015047492.tif 000008
【図７】
2015047492.tif 000009
【図８】
2015047492.tif 000010
【手続補正書】
【提出日】平成26年12月2日(2014.12.2)
【手続補正１】
【補正対象書類名】特許請求の範囲
【補正対象項目名】請求項１
【補正方法】変更
【補正の内容】
【請求項１】
展示業界用の発光システム通電装置であって、
電気接続展示柱（１）、ホルダ（２）、展示板（３）、照明器具（４）、ジョイント（１１）および銅芯（１２）を含み、
前記電気接続展示柱（１）は溝（１４）とグリッド（１５）を含み、
ジョイント（１１）が溝（１４）内に取り付けられ、銅芯（１２）がジョイント（１１）内に取り付けられ、銅芯（１２）は外部電源に接続され、
グリッド（１５）の長さ方向には複数の長方形の掛合孔（１３）が配置され、
前記ホルダ（２）の左右両端には掛合アーム（２１）が設けられ、掛合アーム（２１）の先端には掛合フック（２６）が設けられ、掛合フック（２６）は電気接続展示柱（１）の掛合孔（１３）内に掛合され、
掛合アーム（２１）の中央部には案内溝（２３）が設けられ、案内溝（２３）の下方には位置決め栓（２８）が設けられ、
可動プラグ（２２）は掛合アーム（２１）に取り付けられ、前記可動プラグ（２２）内に導電性の銅芯（２４）が嵌合され、導電性の銅芯（２４）は掛合アーム（２１）の案内溝（２３）内に載置され、可動プラグ（２２）における掛合アーム（２１）上の位置決め栓（２８）に対応する位置には長孔（２７）が設けられ、位置決め栓（２８）は長孔（２７）内に位置し、
左側可動プラグ（２２）は照明器具（４）の正極に接続され、右側可動プラグ（２２）は照明器具（４）の負極に接続され、
前記展示板（３）はねじによってホルダ（２）に固定され、
前記可動プラグ（２２）は前記長孔（２７）により限定される範囲において水平方向に移動可能であり、前記可動プラグ（２２）の移動によって前記照明器具（４）のオンおよびオフが行われることを特徴とする展示業界用の発光システム通電装置。